(57)【特許請求の範囲】
【請求項１】
引張手段駆動装置の引張手段張力を調整する装置（４００）であって、該引張手段駆動装置は少なくとも第１のシャフト（１４１）、第２のシャフト（１３０）及び該２つのシャフトにかけ回した引張手段（１５０）を含み、
該張力調整装置（４００）は、
−該第１のシャフト（１４１）と相互作用する受承部（４１１）及び本体（４１０）が回転軸周りに回動可能なように載置できる載置・枢支点（４１２）を有する本体（４１０）と、
−該本体（４１０）から延在するレバーアーム（４２０）と、
を含み、
該引張手段駆動装置の該第１のシャフト（１４１）と該第２のシャフト（１３０）との間隔（Ｄ）が、該レバーアーム（４２０）に力（Ｆ）を作用させることにより変更できること、
前記レバーアーム（４２０）にかかる力（Ｆ）を測定できる表示器（４３０）が当該レバーアーム（４２０）に配設されていること、
前記レバーアーム（４２０）にかかる力（Ｆ）を測定できる前記表示器（４３０）は、該レバーアーム（４２０）の前記本体（４１０）に対するたわみ（ｙ）を測定する表示器として構成されること、
を特徴とする装置。
【請求項２】
前記レバーアームは、弾性変形可能な曲げビーム（４２０）として構成されていることを特徴とする、請求項１に記載の装置。
【請求項３】
前記レバーアーム（４２０）にかかる力（Ｆ）を測定できる前記表示器（４３０）は、前記レバーアーム（４２０）にある第１のマーキング（４２１）と、前記本体（４１０）にある第２のマーキング（４１３）とを含むことを特徴とする、請求項１または２に記載の装置。
【請求項４】
前記張力調整装置の主要部材が一体化されていることを特徴とする、請求項１〜３のいずれか一に記載の装置。
【請求項５】
前記張力調整装置は、ばね鋼からなり、及び／又は打ち抜き成形された、平板状であることを特徴とする、請求項１〜４のいずれか一に記載の装置。
【請求項６】
前記張力調整装置は、軸方向に関し、引張手段と同じ高さの平面に配設されることを特徴とする、請求項１〜５のいずれか一に記載の装置。
【請求項７】
顕微鏡内の引張手段駆動装置の引張手段張力の調整のための請求項１〜６のいずれか一に記載の装置（４００）の使用方法。
【請求項８】
前記引張手段駆動装置の第１のシャフトは、モータ（１４０）の駆動軸（１４１）として構成され、第２のシャフトは、ズームシステム（１００）のスピンドル（１３０）として構成されていることを特徴とする、請求項７に記載の使用方法。
【請求項９】
少なくとも第１のシャフト（１４１）、第２のシャフト（１３０）及び該２つのシャフトにかけ回した引張手段（１５０）を含み、該引張手段の張力を調整するための請求項１〜６のいずれか一に記載の装置（４００）を含む引張手段駆動装置を有する顕微鏡。
【請求項１０】
前記第１のシャフトは、モータ（１４０）の駆動軸（１４１）として構成され、前記第２のシャフトは、ズームシステム（１００）のスピンドル（１３０）として構成されていることを特徴とする、請求項９に記載の顕微鏡。
【請求項１１】
引張手段駆動装置の引張手段張力を調整する方法であって、
該引張手段駆動装置は少なくとも第１のシャフト（１４１）、第２のシャフト（１３０）及び該２つのシャフトにかけ回した引張手段（１５０）を含み、
該引張手段張力（ＺＫ）を調整するために力（Ｆ）とその作用点の枢支点からの距離（ｂ）との積により形成されるトルク（Ｆ×ｂ）を用い、
前記トルクを発生させる前記力（Ｆ）はレバーアームのたわみを利用して表示されること、を特徴とする張力調整方法。
【請求項１２】
前記引張手段張力（ＺＫ）を調整するための前記トルク（Ｆ×ｂ）は、てこの作用を介して作用させることを特徴とする、請求項１１に記載の張力調整方法。
【発明の詳細な説明】
【技術分野】
【０００１】
（関連出願の表示）本願はドイツ特許出願ＤＥ１０２００８０００４３４．０号（２００８年２月２８日出願）の優先権を主張するものであり、上記出願の全記載事項は引用をもって本書に繰り込み記載されているものとする。
本発明は、引張手段伝動装置内の引張手段張力の調整装置及び調整方法並びに引張手段伝動装置を有する顕微鏡に関する。
【背景技術】
【０００２】
ベルトプーリ式伝動装置などの引張手段伝動装置（Zugmitteltriebe）は従来技術としてよく知られており、特に顕微鏡を含む多くの装置に用いられている。引張手段伝動装置は、少なくとも第１のシャフト、第２のシャフト、及びこれらのシャフト間でトルクを伝達するためのシャフト間引張手段（ベルトなど）を含む。
【０００３】
例えば、ズーム付顕微鏡（顕微鏡ないし立体顕微鏡）は、顕微鏡の倍率を変化させるため、光学軸に沿って移動できるように構成された２以上のレンズ群を含む。このような従来技術によるズームシステムの一例を図１に示す。図１に示すズームシステム１００は、レンズ群１１０、１２０を電気的に移動させるモータ１４０を含む。さらに、レンズ群１１０、１２０を手動で移動させることも公知である。レンズ群１１０、１２０はスピンドル１３０上に配置され、レンズ群１１０、１２０の間の間隔はスピンドル１３０を回転させることにより調整可能である。スピンドル１３０は引張手段（ベルト）１５０によってモータ１４０の駆動軸１４１に接続されている。後述の図面の説明で図１を詳細に説明する。このような引張手段の伝動（駆動）装置では、駆動力を伝達するにあたって、モータ駆動軸に何ら作用力を及ぼさずにバックラッシュをゼロにする駆動力伝達を目標とされている。引張手段の張力はこのような目的のための所定の方式による調整が必要である。
【発明の概要】
【発明が解決しようとする課題】
【０００４】
以下の分析は本発明により与えられる。従来技術では、引張手段の張力は数段階で調整されている。まず第１の調整が行われる。この調整は、ほとんど調整を行うユーザの経験に依存する。次に、設定された張力が、例えば引張手段の共振周波数を用いて測定される。そしてユーザは、測定結果に基づいて張力を増減し、再び張力を測定するというステップを踏まなければならない。これに要する消費時間はユーザの経験と正確さによって異なり、また所定の必要な測定ステップは勝手に省略することができない。このようにこの方法は複雑でコストがかかるものである。
【０００５】
図２は、引張手段の張力を調整する別の公知の可能な一例を示す。この装置では、張力印加要素（張力プーリ２００）が引張手段１５０に対して弾性的に作用する。後述の図面の説明の中で、図２をさらに詳細に説明する。この従来技術の不利な点は、余分なコストと設置場所を必要とする追加要素部材が含まれていることであり、さらにこのような追加要素部材は引張手段に負担を与え、損耗を増加させることになる。
【０００６】
引張手段の張力を調整するさらに別の可能性としては、図３Ａ及び図３Ｂに示すものであるが、これらはまだ検討されていない。引張手段の張力は、２つのシャフトの距離Ｄを変えることにより調整される。スプリング３００は、引張手段１５０に所定の張力を負荷するために片方のシャフト（この例ではシャフト１４１）に接続して係止されている。このような可能性についても、同様に余分な要素の設置スペースが必要となる。そして、部材の精度（スプリング及び懸架（サスペンション）点の許容誤差）にもよるが、引張手段１５０に斜め方向の負荷がかかりうるという不利がある。つまり、図３Ｂに示すように、引張手段が作動する平面から外れた方向に負荷がかかり、結果的に損耗及び傾きが増加する。
【０００７】
他の公知の方法では、引張手段の張力は例えばスプリングにより最初に調整される。そして設定した張力をかけたモータを手動で固定し、ボルト留めするのである。経験によればこの方法では通常、軸Ａ、Ｂの間隔が開く方向に傾きが生じ、その結果引張手段の張力は許容できないほど大きくなってしまう。これはベアリングに過度の負担を与え、損耗が増加することになる。
【０００８】
さらに全ての公知の方法は、スプリング、ベルトの長さ、及び／又はサスペンション（懸架）点の許容度が、引張手段の張力の精度にマイナスの影響を与えるというデメリットを有する。
【０００９】
本発明の目的は、特に顕微鏡の、引張手段伝動装置の引張手段張力を容易に調整する装置及び方法を提供することである。
【課題を解決するための手段】
【００１０】
本発明は、独立クレームの特徴を持つ引張手段伝動装置の引張手段張力を調整する装置及び方法ならびにそれを有する顕微鏡を提供する。即ち、第１の視点において、本発明に係る装置は、引張手段伝動装置の引張手段張力を調整する装置であって、該引張手段伝動装置は少なくとも第１のシャフト、第２のシャフト及び該２つのシャフトにかけ回した引張手段を含む。該装置は、該第１のシャフトと相互作用する受承部及び本体が回転軸周りに回動可能なように搭載できる載置・枢支点を有する本体と、該本体から延在するレバーアームと、を含む。該引張手段伝動装置の該第１のシャフトと該第２のシャフトとの間隔（Ｄ）は、該レバーアームに力（Ｆ）を作用させることにより変更できる。前記レバーアームにかかる力（Ｆ）を測定できる表示器が当該レバーアームに配設されており、前記レバーアームにかかる力（Ｆ）を測定できる前記表示器は、該レバーアームの前記本体に対するたわみ（ｙ）を測定する表示器として構成されている。
第２の視点において、本発明に係る使用方法は、顕微鏡、特にズームシステム内の引張手段駆動装置の引張手段張力の調整のための上記装置の使用方法である。
また第３の視点において、本発明に係る顕微鏡は、少なくとも第１のシャフト、第２のシャフト及び該２つのシャフトにかけ回した引張手段を含み、該引張手段の張力を調整するための上記記載の装置を含む引張手段伝動装置を有することを特徴とする。
さらに第４の視点において、本発明に係る方法は、特に顕微鏡の引張手段伝動装置の引張手段張力を調整する方法であって、該引張手段伝動装置は少なくとも第１のシャフト、第２のシャフト及び該２つのシャフトにかけ回した引張手段を含み、該引張手段張力（ＺＫ）を調整するために力（Ｆ）とその作用点の枢支点からの距離（ｂ）との積により形成されるトルク（Ｆ×ｂ）を用い、前記トルクを発生させる前記力（Ｆ）はレバーアームのたわみを利用して表示されることを特徴とする。
有利な実施形態は、従属クレームに記載の主題とその詳細な説明によって与えられる。即ち、前記レバーアームは、弾性変形可能な曲げビームとして構成されていることが好ましい。また、前記レバーアームにかかる力（Ｆ）を測定できる前記表示器は、前記レバーアームにある第１のマーキングと、前記本体にある第２のマーキングとを含むことが好ましい。また前記張力調整装置の主要部材が一体化されていることが好ましい。また前記張力調整装置（本体及びレバーアーム）は、ばね鋼からなり、及び／又は打ち抜き成形された、平板状であることが好ましい。また、前記張力調整装置は、軸方向に関し、引張手段と同じ高さの平面に配設されることが好ましい。また、前記使用方法における、前記引張手段駆動装置の第１のシャフトは、特にモータの駆動軸として構成され、第２のシャフトは、特にズームシステムのスピンドルとして構成されていることが好ましい。また、前記顕微鏡の前記第１のシャフトは、特にモータの駆動軸として構成され、前記第２のシャフトは、特にズームシステムのスピンドルとして構成されていることが好ましい。また前記方法の前記引張手段張力（ＺＫ）を調整するための前記トルク（Ｆ×ｂ）は、レバー効果（てこの作用）を利用することが好ましい。さらに、前記トルクを発生させる前記力（Ｆ）が表示されることが好ましい。
【発明の効果】
【００１１】
本発明に係る張力調整装置は、そのレバーアームに力を作用させるのみで、引張手段伝動装置を構成する２つのシャフト間距離を変更でき、引張手段張力の調整を容易に達成することができる。
【図面の簡単な説明】
【００１２】
【図１】引張手段伝動装置を有する顕微鏡のズーム装置の一例を示す。
【図２】図１に示す引張手段伝動装置の引張手段張力を調整する、第１の公知な装置を示す。
【図３Ａ】図１に示す引張手段伝動装置の引張手段張力を調整する、第２の公知な装置を示す。
【図３Ｂ】図３Ａに示す装置の側面図である。
【図４Ａ】図１に示す引張手段伝動装置の引張手段張力を調整する、本発明の一実施例に係る装置を示す。
【図４Ｂ】図４Ａに示す装置の側面図である。
【図５】引張手段の張力調整装置のための、本発明の一実施例に係るレバーアーム装置を拡大して示す。
【発明を実施するための形態】
【００１３】
本発明に係る張力調整装置は、本体とそれから伸びるレバーアームを含む。例えば顕微鏡の引張手段伝動装置に本装置を適切に搭載し、特にレバーアームに力（荷重）を与えることにより、枢軸周りに本体を回動させることができる。引張手段伝動装置の第１と第２のシャフトの間の間隔は、張力調整装置の本体を枢軸周りに回すことにより変更することができる。こうして、レバーアームに所定の力を与えて引張手段の張力を調整することができるのである。このような理由から、本発明に係る装置は一般に例外なく、第１のシャフトは本装置によって移動可能であるが、第２のシャフトは固定されていなければならない。しかしこの条件を除けば２つのシャフトは相対的に自由に移動可能である。
【００１４】
従来技術の問題点は本発明に係る装置により解決される。なぜなら、本装置は小型で、実用上十分な強度を持ち、信頼性が高いからである。本装置は一方のシャフトの領域に配置することができ、余分な設置スペースが不要である。本装置は間接に又は直接に一方のシャフトに関連して取り付けることができ、該シャフトは位置決めされるまで引張手段伝動装置と共に移動するので、引張手段伝動装置は張力を受けることなく配置することができる。本装置は、引張手段の長さが変わっても、また例えばシャフト、の引っ張り手段のかかり位置の許容範囲が変わっても、常に正しい引張手段の張力をセットすることができる。
【００１５】
本発明に係る張力調整装置を用いて引張手段の張力を調整したあと、軸（複数）は不動化することが好ましく、正確な引張手段張力を恒久的に保証することができる。本装置は小さいので、引張手段の張力を調整したあとでも引張手段伝動装置にセットしたままで問題はない。そして将来、例えばモータを交換したときに、引張手段の張力を調整するために再び使用できる。あるいは本装置は引張手段伝動装置から取り外してもよい。
【００１６】
本発明に係る張力調整装置は、特に引張手段伝動装置を持つ顕微鏡に適用でき、特にモータ又は手動で駆動される駆動軸（第１のシャフト）を、駆動軸に小さな許容範囲内でわずかな引張力を与えるだけで正しく配置することができる。本張力調整装置は、力が引張手段の平面内で与えられるように配置することができる（またそれが好ましい）ので、位置決め時に駆動軸又はモータをガイドしつつ移動させることが可能であり、よって基盤からの圧力又は駆動軸やモータの傾きによって（不所望の誤差となる）荷重成分が生じることが避けられる。本張力調整装置は平板状に構成でき（またそれが好ましく）、引張手段伝動装置以外のスペースを必要としない点で有利である。つまり、本装置は引張手段伝動装置が既に占める空間、例えばモータハウジングの上部に（引張手段＝ベルトに隣接した部分に）収納することができるのである。
【００１７】
本発明によれば、トルクが引張手段伝動装置の張力を調整するために用いられる。このトルクは、力（Ｆ）とその作用点の（レバーアーム）枢支点からの距離（ｂ）との積（Ｆ×ｂ）により形成される
【００１８】
レバーアームは、弾性変形可能な曲げビーム（梁）として構成することが有用である。これにより特に、装置に再利用性を持たせることができ、さらにレバーアームにかかる力（荷重）を測定する表示器を装備することが容易となる。
【００１９】
レバーアームにかかる力を測定する表示器を設けることが有利である。それ以外に、例えば所定の引張手段の張力をセットするために必要な、引張手段の張力測定装置等を設ける必要はない。その代わり、装置の形状（特に平面的パターンないしプロフィール）を考慮することにより、曲げビームのたわみによって引張手段にかかる力に関する情報を得ることができる。その方法は図５に関して説明する。
【００２０】
本発明の好ましい実施形態によれば、レバーアームないし曲げビームにかかる力を測定する表示器は、レバーアームないし曲げビームに設けられた第１のマーキングと、本体に設けられた第２のマーキング（例えば線刻）を含む。この特徴によって、１つ又はさらには複数の所定の荷重値、特にレバーアームのたわみの関数である荷重値を読み取って利用でき、レバーアームに力がかかっている間、ユーザに表示することができる。この方法により、所定の引張手段の張力をセットすることは比較的容易である。例えば、所定の引張手段の所望の張力は、レバーアームのマーキングと本体のマーキングとが所定の関係で配列したときに達成されるように設定することができる。この表示器は、特にバーニヤ目盛り（副尺）の形式で実施できる。可撓性曲げビームを用いる場合、表示器が裸眼で（ないし拡大鏡を介して）読める程度の弾力性を選択することが好ましい。
【００２１】
レバーアームにかかる力を測定する表示器は、レバーアームの本体に対するたわみを測定する表示器として構成することが有益であることが判明した。
【００２２】
本装置は、特に平板状で、主要部分が一体化されており、及び／又はばね鋼で構成されていることが有利である。それとは独立に、例えばレーザ又は水ジェットで打ち抜き又は切り抜いて製造できる。これにより、装置を容易にそして安価に製造することができる。
【００２３】
本発明のさらなる視点において、本発明は顕微鏡の引張手段伝動装置の引張手段の張力を調整する装置の使用に関する。
【００２４】
第１のシャフトは、特にモータの駆動軸として構成され、第２のシャフトは特にズームシステムのスピンドルとして構成することが有益である。
【００２５】
引張手段の張力の調整には、てこの原理（作用）を適用することが有利である。
【００２６】
本張力調整装置は、モータ駆動の顕微鏡のためにのみ限定されるものではない。本装置は、いわゆる「体系化（コード化）された（codierten）」顕微鏡と呼ばれる、特にスピンドルの回転をゼロクリアランスで回転エンコーダ（例えば磁気センサ）に伝達する手動操作のズームシステムを持つ顕微鏡にも適用できる。本装置は同様に、手動ホイールの回転をベルトでスピンドルに伝えるズームシステムを持つ顕微鏡の、遊び車を配置するためにも用いられる。本装置は、チェーン、平ベルト、歯付ベルト等の引張手段（無限ないし有限走行伝動手段）を持つ引張手段伝動装置全般に用いることができる。また、本装置は、顕微鏡に限らず、同様にコンパクトで高い調整精度を要する引張手段伝動装置に適用することができる。
【００２７】
本発明に係る顕微鏡は、少なくとも第１のシャフト、第２のシャフト、及びこれらのシャフト間を輪（ループ）で結んだ（かけ回した）引張手段を含む引張手段伝動装置を含む。本顕微鏡は、本発明に係る装置を含む。一つのシャフトは、特にモータの駆動軸を構成することができる。またしかし、本発明は顕微鏡内の他の回転要素、例えばセンサ、特に角度位置を確認するための磁気センサ等にも関連して用いることができる。
【００２８】
上記の、及びこれから述べる特徴は、記載した組み合わせのみでなく、本発明の趣旨の範囲内において、他の組み合わせ又は単独でも用いることができる。
【００２９】
以下に本発明について、典型的な実施例としての図面を参照して詳細に説明する。
【実施例】
【００３０】
図１は、すでに述べたように、顕微鏡のズーム装置（全体を１００で示す）の一例の側面模式図である。ズーム装置１００は、光軸に沿って互いにその相対位置を変えることができるように構成された第１のレンズ群１１０と、第２のレンズ群１２０とを含む。レンズ群１１０及び１２０を相対的に移動させるために、螺旋状の切り欠き（カム溝ないしガイド溝）１３１、１３２を含むスピンドル１３０が配設されている。レンズ群１１０は、切り欠き１３１と相互作用し、レンズ群１２０は切り欠き１３２と相互作用する。レンズ群１１０とレンズ群１２０の相対的移動は、こうしてスピンドル１３０をその回転軸Ａを中心に回転させることで達成される。
【００３１】
図に示すように、スピンドル１３０は、電動モータ１４０によって、ベルト１５０として構成（具体化）された引張手段を用いて伝動・駆動される。そのため、モータ１４０の駆動軸（ないしプーリ）１４１は、回転軸Ｂを中心に回転する。
【００３２】
図２は、（例えば図１の）ズーム装置１００を上から見た図である。モータ１４０は、配置手段１４２、１４３を用いて顕微鏡内部に配置することができる。ばね付勢された張力（アイドリング）プーリ２００が、ベルト１５０に引張手段張力を設定付与するために配設されている。図に示す装置の不利な点は、追加的部材が用いられており、所望の引張手段張力を得るためには、その物理的及び配置上のパラメータを所定の方法で調整しなければならないことである。さらに必要スペースが増えるという欠点もある。
【００３３】
図３Ａ及び図３Ｂは、既に述べたように、ベルト１５０の引張手段張力のさらに別の調整装置の一例である。モータ１４０と顕微鏡の筐体壁３１０との間に、ベルト１５０に所望の引張手段張力を与えるためにばね３００が保持されている。図２の説明で示した欠点のほかに、この方法では、図３Ｂに示すように、部材の許容誤差を考慮すると起こりうるばね３００の不適切な配置関係により、モータ１４０が傾き、それによって特に損耗が増加するという欠点がある。
【００３４】
本発明に係る、引張手段張力の調整装置の好ましい一実施例４００について、図４Ａ，図４Ｂ及び図５を用いて包括的に説明する。図４Ａ及び図４Ｂに示すように、本発明に係る張力調整装置４００は、特に顕微鏡に使用することが適している。しかし、張力調整装置４００を他の用途に用いることももちろん可能である。
【００３５】
張力調整装置４００は、本体４１０と、本体４１０から（載置・枢支点４１２を超えて外方へ）延在するレバーアームを含む。レバーアームは、弾性変形可能な曲げビーム４２０として具体化（構成）されている。本体４１０は、受承部４１１と載置・枢支点（ないし枢軸）４１２を含む。この載置・枢支点は、張力調整装置４００又は本体４１０を回動させるためのものである。受承部４１１は、引張手段伝動装置のモータの上面から突出して形成されたピン１４４と相互作用するためのものであり、モータ１４０は、図示の例では（長孔として形成した）受承部４１１と係合するピン１４４を含み、駆動軸（ないしプーリ）１４１と機械的結合（固定的位置関係）を形成して相互作用することができる。なお、レバーアームの延在方向は、力（Ｆ）の作用点が本体４１０に対し、所望の距離（ｂ）をもって、てこの原理により載置・枢支点４１２の回りに本体への回転トルクを生じうるような方向であればよく、モータとベルトの配置関係からすると、図示の如くレバーアームはＬ字状にすることが好ましく、レバーアームの方向としては、ベルトの駆動軸と従動軸を結ぶようにほぼ並置（ないし平行）に配することが望ましい。
【００３６】
配置手段（モータ位置の調節・固定手段）１４２、１４３が固定されていない場合、曲げビーム４２０に力Ｆが加わると、本体４１０は載置・枢支点４１２の周りを（反時計方向に）回転する。そしてモータ１４０を矢印Ｃの方向へ移動させる。いったんベルト１５０の所望の引張手段張力が得られると、配置手段１４２、１４３は得られた引張手段張力をそのまま維持、利用するために固定することが好ましい。配置手段を固定した後、張力調整装置４００は顕微鏡にそのまま付けておいてもよいし、取り外しても良い。
【００３７】
所望の引張手段張力は、張力調整装置４００の形状及び物理的配置によってあらかじめ規定できる。以下に図５を用いてそれを説明する。
【００３８】
張力調整装置４００は本体４１０と本体４１０から延在する曲げビーム４２０を含む。張力調整装置４００はばね鋼から作ることが好ましく、特に打ち抜き法で安価に製造することができる。開口部として形成される載置・枢支点４１２は、ピボットベアリングの役割を果たす。同じく開口部として形成される（ピン）受承部４１１は、これに嵌合する引張手段伝動装置の上面に突出して形成されたピン（短軸）１４４と相互作用をし、そのため例えばピン１４４自体（又はピン１４４と結合する要素）を受承（嵌合）する。図示の例では、張力調整装置４００はさらに曲げビーム４２０側にある第１のマーキング４２１及び本体４１０側にある第２のマーキング４１３を含むマーキングアセンブリ（組）４３０を含む。
【００３９】
本体４１０を載置・枢支点４１２周りに回転させると、受承部４１１がほぼ線形（矢印Ｃ方向）に変位し、従って受承部に係合されたピン１４４がＣ方向へ変位する。線形変位は、配置手段１４２、１４３を例えば細長い開口（長孔）に形成することで達成できる。受承部４１１に係合するピン１４４はモータ（本体１４０）に結合されており、かくてモータの駆動シャフト（プーリ）１４１にかけ回された張力手段が強く引っ張られるまでは、張力調整装置４００は基の形状を保ったまま、つまり曲げビーム４２０のたわみを伴わずに回転する。曲げビーム４２０にさらに力Ｆを加えると、引張手段張力ＺＫが作用する。作用する引張手段張力ＺＫの大きさは、以下に説明するように、張力調整装置４００の物理的変数と形状により決定される。
【００４０】
受承部４１１と載置・枢支点４１２との間隔をａで表す。曲げビーム４２０の端部と載置・枢支点４１２との距離をｂで表す。曲げビーム４２０の長さをＬで表す。そして曲げビーム４２０のたわみをｙで表す。図５に示す態様において、レバーアームの自然な初期状態では、レバーアームの長軸（距離ｂの矢印に平行）は、載置・枢支点４１２と受承部４１１とを結ぶ線（短軸ａの矢印に平行）に対し概ね直角に配されている。
【００４１】
曲げビームに加わる力Ｆに関する曲げビーム４２０のたわみｙはおよそ以下の通りとなる。
ｙ＝Ｆ×Ｌ３／（３×Ｅ×Ｉ）
ここでＥは曲げビームの材質の弾性係数、Ｉは曲げビームの断面の断面２次モーメント（axiale Flaechentraegheitsmoment）である。
【００４２】
てこの原理（Ｆ×ｂ＝ＺＫ×ａ）を考慮すると、Ｃ方向に働く張力ＺＫは以下のように表される。
ＺＫ＝（ｙ×３×Ｅ×Ｉ／Ｌ３）×（ｂ／ａ）
【００４３】
所定の張力ＺＫは、たわみｙによってこうして作用させることができる。このために必要なたわみｙは、マーキングアセンブリ４３０を用いて、例えば第１のマーキング４２１と第２のマーキング４１３の配列により、ユーザに示すことができる。
【００４４】
所定の形状に関連して、張力ＺＫは作用させるトルクＬの関数としても以下のように表記できる。
Ｌ＝Ｆ×ｂ＝ＺＫ×ａ
【００４５】
引張手段の張力をセットした後、モータをねじ１４２Ａ、１４３Ａによりベース１４５に固定する（既に説明した）ことのほか、モータを例えば２つのシャフトを結ぶ軸に沿った移動式キャリッジでガイドすることもまた可能である。これにより、傾きを防止するために配置手段で保持することが不要となる。例えば曲げビーム４２０が力を調整した後も顕微鏡の筐体内部に保持されていれば、マーキングないし表示器４３０が調整張力ＺＫのモニタ（監視）の役割を果たす。なお、載置・枢支点（枢軸）４１２は、ベース１４５に固定した支柱部４１４の上端面とこれより突出する短軸４１２Ａとにより構成され、該上端面（載置面）にレバーアーム及び本体をベルトと同じ高さの平面内に載置し保持する。
【００４６】
例えばモニタとしてフォークライトバリア（fork light barrier）を用いた場合、ユニットを開けることなくモニタリングを電子的に行うこともできる。フォークライトバリアの信号を筐体に対する曲げビームの再調整に用いることにより、その装置を引張手段に対する一定の調整力を達成するための制御ループの一部として用いることができる。
【００４７】
添付の図面には、ただ１つの本発明に係る特に好ましい実施例しか図示していない。しかし本発明の趣旨の範囲内で他の実施形態も考えられる。特に、張力調整装置４００は特に場所を取らないという利点のために実質的に直角の形状としているが、直線的な（又は例えば「く」の字状などの他の形状の）張力調整装置４００とすることも、てこの原理が適用可能である限り、可能であり、配置スペースと作業操作上の便宜に応じて可変である。
【００４８】
以上、本発明を上記実施例に即して説明したが、本発明は上記実施例の構成にのみ制限されるものではなく、本発明の範囲内で当業者であればなしうるであろう各種変形、修正を含むことはもちろんである。
【符号の説明】
【００４９】
１００  ズーム装置（システム）
１１０，１２０  レンズ群
１３０  スピンドル（第２のシャフト）（ないし従動プーリ）
１３１、１３２  切り欠き（カム溝）
１４０  電動モータ
１４１  駆動軸（第１のシャフト）（ないし駆動プーリ）
１４２、１４３  配置手段
１４２Ａ、１４３Ａ  ねじ
１４４  ピン（短軸）
１４５  ベース
１５０  ベルト（引張手段）
２００  張力プーリ（アイドリングプーリ）
３００  ばね
３１０  筐体壁
４００  装置
４１０  本体
４１１  （ピン）受承部
４１２  載置・枢支点（Auflagepunkt）
４１２Ａ  短軸
４１３  第２のマーキング
４１４  支柱部
４２０  曲げビーム（レバーアーム）
４２１  第１のマーキング
４３０  マーキングアセンブリ（表示器）
Ａ、Ｂ  回転軸
Ｃ  変位方向
Ｄ  Ａ軸−Ｂ軸間距離
ａ  受承部４１１と載置・枢支点４１２との間隔（距離）
ｂ  曲げビーム４２０の端部と載置・枢支点４１２との距離
Ｌ  曲げビーム４２０の長さ
ｙ  曲げビーム４２０のたわみ
【図１】
0005519939.tif 000002
【図２】
0005519939.tif 000003
【図３Ａ】
0005519939.tif 000004
【図３Ｂ】
0005519939.tif 000005
【図４Ａ】
0005519939.tif 000006
【図４Ｂ】
0005519939.tif 000007
【図５】
0005519939.tif 000008